(57)【要約】【課題】専用紙ならびに普通紙においても、所望の黒画像およびカラー画像を得ることができ、特には、普通紙において鮮明かつ耐水性、耐光性の高い所望の黒画像を得ること。【解決手段】インクジェット記録装置は、第１の黒インクを吐出する第１の黒ノズル群と、第２の黒インクを吐出する第２の黒ノズル群と、カラーインクを吐出するカラーノズル群を有する記録ヘッド１０１、色分離手段２０１、黒画像データ記憶手段２０２、カラー画像データ記憶手段２０３、紙種情報記憶手段２０４、前記第1の黒インクおよび前記第2の黒インクを前記第１の黒ノズル群３０１および前記第２の黒ノズル群３０２から同時もしくは選択的に吐出するための駆動信号を生成する黒ノズル駆動手段２０５、カラーインクを吐出する駆動信号を生成するカラーノズル駆動手段２０６からなる。【選択図】図２
2006168370.tif 000002
【特許請求の範囲】
【請求項１】
複数のノズル群をもつ記録ヘッドを用い、前記複数のノズル群からインクを吐出して記録紙上に記録を行うインクジェット記録装置において、色材として水溶性染料を有するカラーインクならびに第１の黒インクと、色材として顔料を有する第2の黒インクとを有し、前記記録ヘッドは、前記第1の黒インクを吐出する第１の黒ノズル群と、前記第2の黒インクを吐出する第２の黒ノズル群と、前記カラーインクを吐出するカラーノズル群とを有することを特徴とするインクジェット記録装置。
【請求項２】
記録データを黒画像データとカラー画像データとに分離する色分離手段と、前記分離された記録データを格納する黒画像データ記憶手段およびカラー画像データ記憶手段と、記録紙の紙種情報を記憶する紙種情報記憶手段と、前記紙種情報に従って前記第１の黒インクおよび前記第２の黒インクを、前記第１の黒ノズル群および前記第２の黒ノズル群から同時もしくは選択的に吐出するための駆動信号を生成する黒ノズル駆動手段、また、前記カラーインクを前記カラーノズル群から吐出するための駆動信号を生成するカラーノズル駆動手段と、を有することを特徴とするインクジェット記録装置。
【請求項３】
前記黒ノズル駆動手段は、記録紙が専用紙であるとき、前記第１の黒インクを前記第１の黒ノズル群から吐出する駆動信号を生成し、記録紙が普通紙であるとき、前記第１の黒インクおよび前記第２の黒インクを、前記第１の黒ノズル群および前記第２の黒ノズル群から同時もしくは選択的に吐出する駆動信号を生成することを特徴とする請求項２記載のインクジェット記録装置。
【請求項４】
記録紙に、色材として水溶性染料を有するカラーインクならびに第１の黒インクと、色材として顔料を有する第２の黒インクを用いて記録を行うインクジェット記録方法であって、記録データを黒画像データとカラー画像データとに分離する色分離工程と、前記分離された記録データを黒画像データバッファおよびカラー画像データバッファに格納する工程と、予め紙種情報バッファに格納されている紙種情報に基づいて、黒画像データを前記第１の黒インクで記録するか、あるいは前記第２の黒インクで記録するか、または、前記第１の黒インクおよび前記第２の黒インクを併用して記録するかのいずれかを決定する工程とを有することを特徴とするインクジェット記録方法。
【請求項５】
前記決定工程は、記録紙が専用紙であるとき、前記第１の黒インクで黒画像データを記録し、記録紙が普通紙であるとき、前記第２の黒インク、または、前記第１の黒インクおよび前記第２の黒インクを併用して黒画像データを記録することを決定する工程であることを特徴とする請求項４記載のインクジェット記録方法。
【発明の詳細な説明】
【技術分野】
【０００１】
本発明は、インクジェット記録装置および記録方法に関する。
【背景技術】
【０００２】
ワープロ、コンピューター等の情報機器の普及に伴い、それらの機器の記録装置の一つとして、インクジェット方式による記録ヘッドを用いてデジタル画像記録を行う記録装置が普及されてきつつある。さらに、これらの情報機器の性能、精度の高度化に伴い、記録装置においても高画質化、カラー化の要望が増してきている。
【０００３】
しかしながら、高画質のカラー画像を得るためには、インクの滲みを防止し、発色性を高める吸収層を有する専用紙を使用する必要があり、特に普通紙にカラー印刷を行う場合においては、滲みによる画質劣化、ならびに、十分な耐水性、耐光性が得られない等の問題がある。特には、ワープロ等で作成したモノクロ文章等の黒画像は、滲みのない鮮明な画像かつ高い黒濃度が要求されるため、黒インクの滲みはできる限り押さえられ、できる限り高い濃度で記録されるのが好ましい。更には、実用上十分な耐水性、耐光性が望まれる。
【０００４】
通常、インクジェット記録装置によってカラー画像を記録するためのインクは、透明度が高く、色の再現性の高い色材である水溶性染料を用い、また、記録紙への浸透速度が速い速乾性のインクを用いている。
【０００５】
このような組成のインクを用いたとき、専用紙においては吸収層があるため滲みもなく、カラー画像ならびに黒画像も共に所望の画質を得ることができ、記録後十分乾燥してしまえば実用上問題ない耐水性が得られている。しかし、普通紙においては、カラー画像は混色して色を形成することから滲みの影響を受けにくく所望の画質を得ることができるものの、黒画像に関しては滲みによる影響が大きく、また、濃度も低いため所望の画質を得られないという問題が残されている。また、記録後十分に乾燥しても実用上十分な耐水性を得られないという問題があり、更に、十分な耐光性を得られていないという問題もある。
【０００６】
普通紙における黒画像の品質を向上するため、顔料を色材として用いた顔料黒インクを用いて普通紙に記録する方法がある。前記顔料黒インクを用いることにより、普通紙において滲みが抑えられ鮮明な黒画像が得られるとともに、実用上十分な耐水性、耐光性を得ることができ、所望の黒画像を得ることが可能である。しかし、専用紙においては吸収層と顔料黒インクとの特性により、顔料黒インク特有の光沢が発生することが確認されている。特には、水溶性染料インクを用いて記録したカラー画像部と顔料黒インクを用いて記録した黒画像部とが混在するようなとき、黒画像の部分だけ光沢感が異なるため、全体的に違和感のある画像になってしまうという問題がある。
【０００７】
このような問題の解決策として、従来のインクジェット記録装置においては、２種類の黒インクを併用させて記録する方法がある。
【０００８】
例えば、特開平７−１２５４０６号公報においては、浸透速度が相対的に速いカラーインクおよび第１の黒インクを吐出する記録ヘッドと、第１の黒インクよりも浸透速度が相対的に遅い第２の黒インクを吐出する記録ヘッドを用い、普通紙に記録を行う際に、黒画像がカラー画像隣接するときには第１の黒インクを使用し、隣接しないときには第２の黒インクを使用して黒画像を記録する方法により、より滲みの少ない画像を記録する方法を提供している。
【０００９】
また、特開平８−２６７９０３号公報においては、色材として水溶性黒色染料と黒色顔料とを併有し、これらの色材を溶解または分散させる液媒体を含む黒色インクを画像形成領域に付与する過程と、前記黒色インクと異なる色材を含まない液体組成物を前記画像形成領域に付与する過程を以って画像を形成する方法により、耐水性を向上させる方法を提供している。
【特許文献１】特開平７−１２５４０６号公報
【特許文献２】特開平８−２６７９０３号公報
【発明の開示】
【発明が解決しようとする課題】
【００１０】
しかしながら、このような従来の技術例においては、例えば、特開平７−１２５４０６号公報に開示されているように、浸透時間が遅い第2の黒インクを用いる記録方法においては、普通紙において鮮明な黒画像を得ることができるものの、浸透速度が遅いことによる乾燥時間の遅延から印字直後の耐擦性が劣化するため、連続的に記録紙を重ねることができず、高速印字に適さないという不具合がある。また、色材として水溶性染料を用いれば十分な耐水性が得られないという問題点が依然として残ってしまうなどの問題点がある。
【００１１】
また、例えば、特開平８−２６７９０３号公報に開示されている画像形成方法においては、専用紙と普通紙の黒画像の高品質化の両立と、普通紙における耐水性の向上を得ることができるものの、黒色インクならびに前記黒色インクと異なる液体組成物を持たなければならないことによるコストの増加ならびに記録装置の複雑化という問題があり、また、黒色インクの記録工程と前記黒色インクと異なる液体組成物の記録工程を持たなければならないことによる記録工数の増加ならびに記録工程の複雑化という問題がある。
【００１２】
そこで、本発明の目的とするところは、専用紙ならびに普通紙において、所望の黒画像およびカラー画像、特には普通紙における所望の黒画像を得ることができるインクジェット記録装置および記録方法を提供することである。
【課題を解決するための手段】
【００１３】
本発明によるインクジェット記録装置は、色材として水溶性染料を有するカラーインクならびに第１の黒インクと、色材として顔料を有する第2の黒インクとを有し、記録ヘッドは、前記第1の黒インクを吐出する第１の黒ノズル群と、前記第2の黒インクを吐出する第２の黒ノズル群と、前記カラーインクを吐出するカラーノズル群とを有することを特徴とする。
【００１４】
また、記録データを黒画像データとカラー画像データとに分離する色分離手段と、前記分離された記録データを格納する黒画像データ記憶手段およびカラー画像データ記憶手段と、記録紙の紙種情報を記憶する紙種情報記憶手段と、前記紙種情報に従って前記第１の黒インクおよび前記第２の黒インクを、前記第１の黒ノズル群および前記第２の黒ノズル群から同時もしくは選択的に吐出するための駆動信号を生成する黒ノズル駆動手段、また、前記カラーインクを前記カラーノズル群から吐出するための駆動信号を生成するカラーノズル駆動手段とを具備し、前記黒ノズル駆動手段は、記録紙が専用紙であるとき、前記第１の黒インクを前記第１の黒ノズル群から吐出する駆動信号を生成し、記録紙が普通紙であるとき、前記第１の黒インクおよび前記第２の黒インクを、前記第１の黒ノズル群および前記第２の黒ノズル群から同時もしくは選択的に吐出する駆動信号を生成することを特徴とする。
【００１５】
また、本発明による他のインクジェット記録方法は、記録データを黒画像データとカラー画像データとに分離する色分離工程と、前記分離された記録データを黒画像データバッファおよびカラー画像データバッファに格納する工程と、予め紙種情報バッファに格納されている紙種情報に基づいて、黒画像データを前記第１の黒インクで記録するか、あるいは前記第２の黒インクで記録するか、または、前記第１の黒インクと第２の黒インクを併用して記録するかのいずれかを決定する工程とを有し、前記決定工程は、記録紙が専用紙であるとき、前記第１の黒インクで黒画像データを記録し、記録紙が普通紙であるとき、前記第２の黒インク、または、前記第１の黒インクおよび前記第２の黒インクを併用して黒画像データを記録することを決定する工程であることを特徴とする。
【発明を実施するための最良の形態】
【００１６】
以下、本発明について実施例に基づいて詳細に説明する。
【００１７】
図１は、本発明のインクジェット記録装置の概略を示した図である。
【００１８】
記録ヘッド１０１は、キャリッジ１０２に固定され、キャリッジ駆動モーター１０４によって駆動されるキャリッジ駆動ベルト１０３によって、ガイド軸１０９に沿って矢印Ａ、Ｂに示される主走査方向に搬送される。記録紙１０７は、図示しない搬送ローラー駆動モーターによって駆動される搬送ローラー１０８によって矢印Ｃの方向に搬送される。また、記録画素を形成するインクは、インク供給タンク１０５からインク供給パイプ１０６を通って記録ヘッド１０１に供給される。
【００１９】
記録ヘッド１０１は、圧電素子を用いる形式のインクジェット記録ヘッドであり、複数のノズルを任意のマトリックス、または副走査方向（前記矢印Cの方向）に１列で配置している。
【００２０】
図３は、本実施例における記録ヘッド１０１のノズル群を示す図である。前記記録ヘッド１０１は、主走査方向に第１の黒ノズル群３０１、第２の黒ノズル群３０２、Ｃ、Ｍ、Ｙの３色のカラーノズル群３０３をもち、前記各々のノズル群は、副走査方向に１／１８０インチピッチで配置された３２個のノズルからなっている。また、前記第２の黒ノズル群３０２は、前記第1の黒ノズル群３０１に対して副走査方向に１／３６０インチピッチずれて配置されている。
【００２１】
このような構成の前記記録ヘッド１０１を用いれば、前記記録ヘッド１０１を、２回走査することにより副走査方向３６０ｄｐｉの記録を可能としている。また、前記第１の黒ノズル群３０１および前記第２の黒ノズル群３０２を同時に駆動して記録を行うことにより、１回の走査で副走査方向３６０ｄｐｉの記録が可能である。
【００２２】
また、本実施例における前記記録ヘッド１０１においては、カラーインクならびに第１の黒インクとして、例えば、染料 ３ｗｔ％、グリセリン １０ｗｔ％、アセチレングリコール系の界面活性剤 １ｗｔ％、ジエチレングリコールブチルエーテル ５ｗｔ％、残部が純水からなるインクが使用される。また、第２の黒インクとして、例えば、カーボンブラック系の黒顔料 ３ｗｔ％、グリセリン １０ｗｔ％、アセチレングリコール系の界面活性剤 １ｗｔ％、ジエチレングリコールブチルエーテル ５ｗｔ％、残部が純水からなるインクが使用される。
【００２３】
次に記録動作について説明する。
【００２４】
記録動作に先立って、図示しない給紙装置によって、記録ヘッド１０１のノズル面と対向する位置に記録紙１０７を給紙する。前記記録ヘッド１０１はキャリッジ１０２の走査に同期して前記記録ヘッド１０１のノズルから選択的にインク滴を吐出して記録紙１０７上にインク滴を打ち込み、記録データに基づく文字および画像を記録紙１０７の所定の位置に形成する。この走査の終了と共に、記録紙１０７は前記搬送ローラー１０８によって副走査方向に搬送される。この動作を繰り返すことにより、記録紙上に所望の文字および画像を形成する。
【００２５】
前記記録ヘッド１０１の主走査方向の移動量および前記記録紙１０７の副走査方向の搬送量は記録する解像度に応じて決まる。
【００２６】
図４は、本実施例において３６０ｄｐｉの解像度の記録を行うときの記録動作を示した図である。前記記録ヘッド１０１は、前記キャリッジ１０２によって主走査方向に走査されながら１／３６０インチ移動する毎にインク滴を選択的に吐出する。また、記録紙１０７は、前記記録ヘッド１０１の走査の終了と共に、前記搬送ローラー１０８によって１／３６０インチ搬送される。前記記録ヘッド１０１の走査と記録紙１０７の搬送の動作を２回繰り返した後、記録紙１０７を６３／３６０インチ搬送するという一連の搬送動作を繰り返すことにより、記録紙１０７上に所望の３６０ｄｐｉの記録データを形成する。このとき使用されるノズル群は、前記第１の黒ノズル群３０１およびカラーノズル群３０３である。
【００２７】
図５は、本実施例において３６０ｄｐｉの解像度の記録を行うときの、もうひとつの記録動作を示した図である。前記記録ヘッド１０１は、前記キャリッジ１０２によって主走査方向に走査されながら１／３６０インチ移動する毎にインク滴を選択的に吐出する。また、記録紙１０７は、前記記録ヘッド１０１の走査の終了と共に、前記搬送ローラ１０８によって６４／３６０インチ搬送する。この一連の搬送動作を繰り返すことにより、記録紙１０７上に所望の３６０ｄｐｉの記録データを形成する。このとき使用されるノズル群は、前記第１の黒ノズル群３０１および前記第２の黒ノズル群３０２である。
【００２８】
図２は、本発明のひとつの実施例によるインクジェット記録装置の構成を、ブロック図に示した図である。図中破線内部が本実施例によるインクジェット記録装置の構成を示している。
【００２９】
本実施例におけるインクジェット記録装置は、記録データ２１１を黒画像データおよびカラー画像データに分離する色分離手段２０１、前記色分離手段２０１によって分離された前記黒画像データおよびカラー画像データを格納する黒画像データ記憶手段２０２およびカラー画像データ記憶手段２０３、記録紙の紙種情報２１２を記憶する紙種情報記憶手段２０４と、前記紙種情報２１２に従って前記第1の黒インクおよび前記第2の黒インクを、前記第１の黒ノズル群３０１および前記第２の黒ノズル群３０２から同時もしくは選択的に吐出するための駆動信号を生成する黒ノズル駆動手段２０５、また、前記カラーインクを前記カラーノズル群３０２から吐出するための駆動信号を生成するカラーノズル駆動手段２０６、記録ヘッド１０１、および、これらを制御する図示しないＣＰＵからなる。
【００３０】
次に、本実施例におけるインクジェット記録装置の動作を説明する。
【００３１】
外部装置２１０から転送された記録データ２１１は、前記色分離手段２０１によって、黒画像データ２１３およびカラー画像データ２１４に分離される。前記分離された記録データは、黒画像データ記憶手段２０２およびカラー画像データ記憶手段２０３にそれぞれ記憶される。本実施例においては、前記記録データ２１１に含まれる色情報を読み取ることにより、黒画像データとカラー画像データの記録データに分離することを可能としている。
【００３２】
また、外部装置２１０から転送された記録紙の紙種情報２１２は、予め前記紙種情報記憶手段２０４に記憶されている。
【００３３】
前記黒画像データ記憶手段２０２に記憶された黒画像データ２１３は、記録が開始されるとともに前記黒ノズル駆動手段２０５に送られる。前記黒ノズル駆動手段２０５は、前記黒画像データ２１３を受け取るとともに、前記紙種情報記憶手段２０４に記憶されている紙種情報２１２に従って、記録を行うためのヘッド駆動信号を生成する。しかる後、前記黒ノズル駆動手段２０５は、前記生成されたヘッド駆動信号を記録ヘッド１０１の前記第１の黒ノズル群３０１および第２の黒ノズル群３０２のそれぞれのノズルに割り当てて印加する。前記第１の黒ノズル群３０１および第２の黒ノズル群３０２は、前記黒ノズル駆動手段２０５によって印加された駆動信号に従ってインク滴を吐出し、記録紙１０７上に所望の黒画像を形成する。
【００３４】
また、前記カラー画像データ記憶手段２０３に記憶されたカラー画像データ２１４は、記録が開始されるとともに前記カラーノズル駆動手段２０６に送られる。前記カラーノズル駆動手段２０６は、前記カラー画像データ２１４を受け取るとともに、記録を行うためのヘッド駆動信号を生成する。しかる後、前記カラーノズル駆動手段２０６は、前記生成されたヘッド駆動信号を記録ヘッド１０１のカラーノズル群３０３のそれぞれのノズルに割り当てて印加する。前記カラーノズル群３０３は、前記カラーノズル駆動手段２０６によって印加された駆動信号に従ってインク滴を吐出し、記録紙１０７上に所望のカラー画像を形成する。
【００３５】
ここで、黒画像データの記録動作について説明する。
【００３６】
本実施例において、例えば、図４に示す記録動作で記録を行うときに、記録紙がであるとき、前記黒ノズル駆動手段２０５は前記黒画像データ２１３を記録するための駆動信号を、前記第１の黒ノズル群３０１のそれぞれのノズルに割り当てて印加することにより、前記第１の黒インクを用いて黒画像データを記録することを可能としている。この結果、専用紙において黒画像とカラー画像とが混在しても違和感のない所望の画像を得ることが可能となる。
【００３７】
また、例えば、図４に示す記録動作で記録を行うときに、記録紙が普通紙であるときには、次のようにして黒画像データを記録する。
【００３８】
記録データに黒画像データとカラー画像データが混在しているときには、前記黒ノズル駆動手段２０５は前記黒画像データ２１３を記録するための駆動信号を、前記第１の黒ノズル群３０１のそれぞれのノズルに割り当てて印加することにより、前記第１の黒インクを用いて黒画像データを記録することを可能としている。この結果、普通紙において黒画像とカラー画像とが混在しても違和感のない所望の画像を得ることが可能となる。
【００３９】
また、記録データが黒画像データのみのときには、前記黒ノズル駆動手段２０５は前記黒画像データ２１３を記録するための駆動信号を、前記第２の黒ノズル群３０２のそれぞれのノズルに割り当てて印加することにより、前記第２の黒インクを用いて黒画像データを記録することを可能としている。この結果、黒画像データは鮮明かつ濃度の高い高品質な画像を得ることを可能としており、また、十分な耐水性、耐光性を得ることを可能としている。
【００４０】
また、例えば、図５に示す記録動作で記録を行うときには、前記黒ノズル駆動手段２０５は前記黒画像データ２１３を記録するための駆動信号を、前記第１の黒ノズル群３０１ならびに前記第２の黒ノズル群３０２のそれぞれのノズルに割り当てて印加することにより、前記第１の黒インクと前記第２の黒インクを同時に用いて黒画像データを記録することを可能としている。この結果、前記第１の黒インクと前記第２の黒インクが混在するため、前記第２の黒インクのみで記録したときの画質よりは劣るものの、鮮明かつ濃度の高い黒画像を高速に得ることを可能としており、また、高い耐水性、耐光性を得ることを可能としている。
【００４１】
図６は、本発明におけるひとつの実施例によるインクジェット記録方法の動作フローを示した図である。この動作フローは、図４に示す記録動作における記録方法の動作フローを示している。
【００４２】
ＳＴＥＰ１は、外部装置から記録データが転送される最初のステップである。
【００４３】
ＳＴＥＰ２は、前記記録データを黒画像データとカラー画像データに分離する工程であり、前記記録データが黒画像データであるときは、ＳＴＥＰ３に進み、黒画像データを黒画像データバッファに格納する。また、前記記録データが黒画像データでないとき、即ち、カラー画像データであるときは、ＳＴＥＰ４に進み、カラー画像データをカラー画像データバッファに格納した後、ＳＴＥＰ９に進む。
【００４４】
ＳＴＥＰ５は、予め紙種情報バッファに格納されている紙種情報に基づいて紙種の判段を行う工程である。
【００４５】
前記ＳＴＥＰ５の判断工程において記録紙が専用紙であると判断されたときは、ＳＴＥＰ６に進み、前記黒画像データバッファに格納されている黒画像データを第１の黒インクで記録することを決定した後、ＳＴＥＰ９に進む。
【００４６】
また、前記ＳＴＥＰ５の判断工程において記録紙が普通紙であると判別されたときは、ＳＴＥＰ７に進み、カラー画像データバッファにカラー画像データがあるか否かを判断する。
【００４７】
前記ＳＴＥＰ７の判断工程においてカラー画像データがあるという判断結果であったときは、ＳＴＥＰ６に進み、前記黒画像データバッファに格納されている黒画像データを第１の黒インクで記録することを決定した後、ＳＴＥＰ９に進む。
【００４８】
また、前記ＳＴＥＰ７の判断工程においてカラー画像データがないという判断結果であったときは、ＳＴＥＰ８に進み、前記黒画像データバッファに格納されている黒画像データを第２の黒インクで記録することを決定した後、ＳＴＥＰ９へ進む。
【００４９】
ＳＴＥＰ９では前記工程で決定された黒インクおよびカラーインクを用いて記録ヘッド１０１で記録動作を行う。
【００５０】
図７は、本発明におけるもうひとつの実施例によるインクジェット記録方法の動作フローを示した図である。この動作フローは、図５に示す記録動作における記録方法の動作フローを示している。
【００５１】
ＳＴＥＰ１は、外部装置から記録データが転送される最初のステップである。
【００５２】
ＳＴＥＰ２は、前記記録データを黒画像データとカラー画像データに分離する工程であり、前記記録データが黒画像データであるときは、ＳＴＥＰ３に進み、黒画像データを黒画像データバッファに格納する。また、前記記録データが黒画像データでないとき、即ち、カラー画像データであるときは、ＳＴＥＰ４に進み、カラー画像データをカラー画像データバッファに格納した後、ＳＴＥＰ９に進む。
【００５３】
ＳＴＥＰ５は、予め紙種情報バッファに格納されている紙種情報に基づいて紙種の判断を行う工程である。
【００５４】
前記ＳＴＥＰ５の判断工程において記録紙が専用紙であると判断されたときは、ＳＴＥＰ６に進み、前記黒画像データバッファに格納されている黒画像データを第１の黒インクで記録することを決定した後、ＳＴＥＰ９に進む。
【００５５】
また、前記ＳＴＥＰ５の判断工程において記録紙が普通紙であると判断されたときは、ＳＴＥＰ７に進み、カラー画像データバッファにカラー画像データがあるか否かを判断する。
【００５６】
前記ＳＴＥＰ７の判断工程においてカラー画像データがあるという判断結果であったときは、ＳＴＥＰ６に進み、前記黒画像データバッファに格納されている黒画像データを第１の黒インクで記録することを決定した後、ＳＴＥＰ９に進む。
【００５７】
また、前記ＳＴＥＰ７の判断工程においてカラー画像データがないという判断結果であったときは、ＳＴＥＰ８に進み、前記黒画像データバッファに格納されている黒画像データを第１の黒インクと第２の黒インクを併用して記録することを決定した後、ＳＴＥＰ９へ進む。
【００５８】
ＳＴＥＰ９では前記工程で決定された黒インクおよびカラーインクを用いて記録ヘッド１０１で記録動作を行う。
【００５９】
以上、記録装置の実施例および記録方法の実施例を説明したが、本発明はこれらに限定されるものではなく、例えば、使用するカラーインクならびに第１の黒インク、および第２の黒インクの組成はこれに限らない。さらに、本実施例において使用したカラーインクはＣ、Ｍ、Ｙの３色であったが、色の種類はこれに限るものではなく、淡インク等を組み合わせる構成にしてもよい。
【００６０】
また、記録する解像度は３６０ｄｐｉに限るものではなく、更に高い解像度での記録できる。
【００６１】
また、記録ヘッドは圧電素子を用いる形式のインクジェット記録ヘッドを用いた実施例を説明してきたが、これに制限されるものでなく発熱素子を用いる形式のインクジェット記録ヘッドも用いることができる。さらに、ノズル群のノズル配置は１／１８０インチピッチに限らない。
【００６２】
本発明によれば、専用紙ならびに普通紙において、色材として水溶性染料を有するカラーインクならびに第１の黒インクと、色材として顔料を有する第２の黒インクとを有し、第１の黒インクを吐出する第１の黒ノズル群と、第２の黒インクを吐出する第２の黒ノズル群と、カラーインクを吐出するカラーノズル群とを有する記録ヘッドを具備し、記録紙の紙種を判別して第１の黒インクおよび第２の黒インクを同時もしくは選択的に吐出して黒画像データを記録するという構成のインクジェット記録装置により、所望の黒画像およびカラー画像、特には普通紙において、鮮明であるとともに、高い耐水性、耐光性をもつ所望の黒画像を得ることを可能としている。
【００６３】
さらに、第１の黒インクと第２の黒インクを同時に吐出して黒画像データを記録する構成により、普通紙における所望の黒画像を高速に記録することも可能としている。 
【図面の簡単な説明】
【００６４】
【図１】本発明のインクジェット記録装置の概略図である。
【図２】本発明のインクジェット記録装置の構成要素を示すブロック図である。
【図３】本発明のインクジェット記録装置の記録ヘッド１０１のノズル群を示すブロック図である。
【図４】本発明の実施例において３６０ｄｐｉの解像度で記録するときの一つの記録動作を示す図である。
【図５】本発明の実施例における３６０ｄｐｉの解像度で記録するときのもう一つの記録動作を示す図である。
【図６】本発明のインクジェット記録方法における一つの動作フローを示した図である。
【図７】本発明のインクジェット記録方法におけるもう一つの動作フローを示した図である。
【符号の説明】
【００６５】
１０１  記録ヘッド、１０２  キャリッジ、１０３  キャリッジ駆動ベルト、
１０４  キャリッジ駆動モーター、１０７  記録紙、１０８  搬送ローラー、
１０９  ガイド軸、２０１  色分離手段、２０２  黒画像データ記憶手段、
２０３  カラー画像データ記憶手段、２０４  紙種情報記憶手段、
２０５  黒ノズル駆動手段、２０６  カラーノズル駆動手段、
３０１  第１の黒ノズル群、３０２  第２の黒ノズル群、３０３  カラーノズル群
【図１】
2006168370.tif 000003
【図２】
2006168370.tif 000004
【図３】
2006168370.tif 000005
【図４】
2006168370.tif 000006
【図５】
2006168370.tif 000007
【図６】
2006168370.tif 000008
【図７】
2006168370.tif 000009
【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
主走査方向に移動しながらインクを吐出する記録ヘッドの走査によって、記録紙上に記録を行うインクジェット記録装置において、
前記記録ヘッドは、
色材として水溶性染料を有する第１の黒インクを吐出する第１の黒ノズル群と、色材として顔料を有する第２の黒インクを吐出する第２の黒ノズル群と、を有し、
１回の走査の際に、前記主走査方向に沿って前記第１の黒インクのインク滴の列を記録するとともに、前記第１の黒インクのインク滴の列と列の間に、前記主走査方向に沿って前記第２の黒インクのインク滴の列を記録する
ことを特徴とするインクジェット記録装置。
【請求項２】
請求項１に記載のインクジェット記録装置であって、
前記第１の黒ノズル群及び前記第２の黒ノズル群は、それぞれ副走査方向に沿って所定のピッチで配置された複数のノズルを備える
ことを特徴とするインクジェット記録装置。
【請求項３】
請求項２に記載のインクジェット記録装置であって、
前記第２の黒ノズル群は、前記第１の黒ノズル群に対して、前記所定のピッチの半分だけ前記副走査方向にずれて配置される
ことを特徴とするインクジェット記録装置。
【請求項４】
請求項２又は３に記載のインクジェット記録装置であって、
前記記録紙が専用紙である場合、前記第１の黒ノズル群からインクを吐出して前記副走査方向に前記所定のピッチの間隔でインク滴を記録し、前記記録紙を搬送し、前記間隔で打ち込まれた前記インク滴の間に前記第１の黒ノズル群からインクを吐出してインク滴を記録して、所定の解像度の画像を記録し、
前記記録紙が普通紙である場合、前記第１の黒ノズル群及び前記第２の黒ノズル群からインクを吐出して、前記第１の黒インクのインク滴の間に前記第２の黒インクのインク滴を打ち込んで、前記所定の解像度の画像を記録する
ことを特徴とするインクジェット記録装置。
【請求項５】
主走査方向に移動しながらインクを吐出する記録ヘッドの走査によって、記録紙上に記録を行うインクジェット記録装置において、
前記記録ヘッドは、色材として水溶性染料を有する第１の黒インクを吐出する第１の黒ノズル群と、色材として顔料を有する第２の黒インクを吐出する第２の黒ノズル群と、を有し、
前記第１の黒ノズル群及び前記第２の黒ノズル群は、それぞれ副走査方向に沿って所定のピッチで配置された複数のノズルを備え、
前記第２の黒ノズル群は、前記第１の黒ノズル群に対して、前記副走査方向にずれて配置され、
前記記録ヘッドは、１回の走査の際に、前記第１の黒ノズル群の前記ノズルから前記第１の黒インクを吐出するとともに、前記第２の黒ノズル群の前記ノズルから前記第２の黒インクを吐出する
ことを特徴とするインクジェット記録装置。
【請求項６】
請求項５に記載のインクジェット記録装置であって、
前記第２の黒ノズル群は、前記第１の黒ノズル群に対して、前記所定のピッチの半分だけ前記副走査方向にずれて配置される
ことを特徴とするインクジェット記録装置。
【請求項７】
請求項６に記載のインクジェット記録装置であって、
前記記録紙が専用紙である場合、前記第１の黒ノズル群からインクを吐出して前記副走査方向に前記所定のピッチの間隔でインク滴を記録し、前記記録紙を搬送し、前記間隔で打ち込まれた前記インク滴の間に前記第１の黒ノズル群からインクを吐出してインク滴を記録して、所定の解像度の画像を記録し、
前記記録紙が普通紙である場合、前記第１の黒ノズル群及び前記第２の黒ノズル群からインクを吐出して、前記第１の黒インクのインク滴の間に前記第２の黒インクのインク滴を打ち込んで、前記所定の解像度の画像を記録する
ことを特徴とするインクジェット記録装置。
【請求項８】
主走査方向に移動しながらインクを吐出する記録ヘッドの走査によって、記録紙上に記録を行うインクジェット記録方法において、
１回の走査の際に、色材として水溶性染料を有する第１の黒インクのインク滴の列を前記主走査方向に沿って記録するとともに、前記第１の黒インクのインク滴の列の間に、色材として顔料を有する第２の黒インクのインク滴の列を前記主走査方向に沿って記録する
ことを特徴とするインクジェット記録方法。
【請求項９】
主走査方向に移動しながらインクを吐出する記録ヘッドの走査によって、記録紙上に記録を行うインクジェット記録方法において、
１回の走査の際に、色材として水溶性染料を有する第１の黒インクを第１の黒ノズル群から吐出するとともに、色材として顔料を有する第２の黒インクを、前記第１のノズル群に対して副走査方向にずれて配置された第２の黒ノズル群から吐出する
ことを特徴とするインクジェット記録方法。
【手続補正２】
【補正対象書類名】明細書
【補正対象項目名】００１２
【補正方法】変更
【補正の内容】
【００１２】
そこで、本発明の目的とするところは、所望の黒画像を得ることができるインクジェット記録装置および記録方法を提供することである。
【手続補正３】
【補正対象書類名】明細書
【補正対象項目名】００１３
【補正方法】変更
【補正の内容】
【００１３】
本発明によるインクジェット記録装置は、主走査方向に移動しながらインクを吐出する記録ヘッドの走査によって、記録紙上に記録を行うインクジェット記録装置において、前記記録ヘッドは、色材として水溶性染料を有する第１の黒インクを吐出する第１の黒ノズル群と、色材として顔料を有する第２の黒インクを吐出する第２の黒ノズル群と、を有し、１回の走査の際に、前記主走査方向に沿って前記第１の黒インクのインク滴の列を記録するとともに、前記第１の黒インクのインク滴の列と列の間に、前記主走査方向に沿って前記第２の黒インクのインク滴の列を記録することを特徴とする。
【手続補正４】
【補正対象書類名】明細書
【補正対象項目名】００１４
【補正方法】変更
【補正の内容】
【００１４】
また、本発明によるインクジェット記録装置は、主走査方向に移動しながらインクを吐出する記録ヘッドの走査によって、記録紙上に記録を行うインクジェット記録装置において、前記記録ヘッドは、色材として水溶性染料を有する第１の黒インクを吐出する第１の黒ノズル群と、色材として顔料を有する第２の黒インクを吐出する第２の黒ノズル群と、を有し、前記第１の黒ノズル群及び前記第２の黒ノズル群は、それぞれ副走査方向に沿って所定のピッチで配置された複数のノズルを備え、前記第２の黒ノズル群は、前記第１の黒ノズル群に対して、前記副走査方向にずれて配置され、前記記録ヘッドは、１回の走査の際に、前記第１の黒ノズル群の前記ノズルから前記第１の黒インクを吐出するとともに、前記第２の黒ノズル群の前記ノズルから前記第２の黒インクを吐出することを特徴とする。
【手続補正５】
【補正対象書類名】明細書
【補正対象項目名】００１５
【補正方法】変更
【補正の内容】
【００１５】
また、本発明によるインクジェット記録方法は、主走査方向に移動しながらインクを吐出する記録ヘッドの走査によって、記録紙上に記録を行うインクジェット記録方法において、１回の走査の際に、色材として水溶性染料を有する第１の黒インクのインク滴の列を前記主走査方向に沿って記録するとともに、前記第１の黒インクのインク滴の列の間に、色材として顔料を有する第２の黒インクのインク滴の列を前記主走査方向に沿って記録することを特徴とする。また、本発明による他のインクジェット記録方法は、主走査方向に移動しながらインクを吐出する記録ヘッドの走査によって、記録紙上に記録を行うインクジェット記録方法において、１回の走査の際に、色材として水溶性染料を有する第１の黒インクを第１の黒ノズル群から吐出するとともに、色材として顔料を有する第２の黒インクを、前記第１のノズル群に対して副走査方向にずれて配置された第２の黒ノズル群から吐出することを特徴とする。
【手続補正６】
【補正対象書類名】明細書
【補正対象項目名】００６２
【補正方法】変更
【補正の内容】
【００６２】
本実施例によれば、専用紙ならびに普通紙において、色材として水溶性染料を有するカラーインクならびに第１の黒インクと、色材として顔料を有する第２の黒インクとを有し、第１の黒インクを吐出する第１の黒ノズル群と、第２の黒インクを吐出する第２の黒ノズル群と、カラーインクを吐出するカラーノズル群とを有する記録ヘッドを具備し、記録紙の紙種を判別して第１の黒インクおよび第２の黒インクを同時もしくは選択的に吐出して黒画像データを記録するという構成のインクジェット記録装置により、所望の黒画像およびカラー画像、特には普通紙において、鮮明であるとともに、高い耐水性、耐光性をもつ所望の黒画像を得ることを可能としている。